(57)【特許請求の範囲】
【請求項１】
筐体と、
感光ドラムと、
回転軸と、前記回転軸の周面を被覆する本体部とを有する転写ローラと、
前記回転軸と電気的に接続される転写電極であって、画像形成装置に設けられた本体電極から前記感光ドラムに向けて付勢されるように構成される転写電極と、
前記回転軸を前記回転軸が延びる方向に沿って押圧する押圧部材と
を備え、
前記押圧部材は、前記筐体の一部として構成されていることを特徴とする、ドラムカートリッジ。
【請求項２】
前記回転軸は、前記回転軸が延びる方向において、前記筐体から離間していることを特徴とする、請求項１に記載のドラムカートリッジ。
【請求項３】
前記押圧部材は、前記回転軸が延びる方向において、前記筐体と、前記回転軸との間に配置されていることを特徴とする、請求項１または２に記載のドラムカートリッジ。
【請求項４】
前記感光ドラムは、前記画像形成装置からの駆動が入力されるドラムギアを備え、
前記転写ローラは、前記回転軸の前記回転軸が延びる方向の一方側に配置され、前ドラムギアと噛合する転写ギアを備え、
前記押圧部材は、前記回転軸を前記回転軸が延びる方向の他方側から一方側に向けて押圧する
ことを特徴とする、請求項１〜３のいずれか一項に記載のドラムカートリッジ。
【請求項５】
前記筐体は、記録媒体が前記転写ローラと前記感光ドラムとの間に向かうときに、記録媒体が通過可能な開口を備え、
前記本体部の前記回転軸が延びる方向の寸法は、前記開口の前記回転軸が延びる方向の寸法よりも小さい
ことを特徴とする、請求項１〜４のいずれか一項に記載のドラムカートリッジ。
【請求項６】
前記押圧部材は、板ばねであることを特徴とする、請求項１〜５のいずれか一項に記載のドラムカートリッジ。
【請求項７】
筐体と、
感光ドラムと、
回転軸と、前記回転軸の周面を被覆する本体部とを有する転写ローラと、
前記回転軸と電気的に接続される転写電極であって、画像形成装置に設けられた本体電
極から前記感光ドラムに向けて付勢されるように構成される転写電極と、
前記回転軸を前記回転軸が延びる方向に沿って押圧する押圧部材であって、板ばねである押圧部材と、
前記板ばねにおいて、前記回転軸と接触される接触部分に貼り付けられるフィルム部材と、を備えていることを特徴とする、ドラムカートリッジ。
【請求項８】
前記転写電極は、樹脂からなり、
前記押圧部材は、前記転写電極の一部として構成されている
ことを特徴とする、請求項１から請求項７のいずれか一項に記載のドラムカートリッジ。
【発明の詳細な説明】
【技術分野】
【０００１】
本発明は、電子写真方式が採用される画像形成装置に装着されるドラムカートリッジに関する。
【背景技術】
【０００２】
電子写真方式が採用される画像形成装置に装着されるカートリッジとして、感光ドラムと、転写ローラとを備えるドラムカートリッジが知られている。
【０００３】
このようなドラムカートリッジとして、転写ローラの軸の一端部に転写ローラ電極、他端部に転写ローラ軸受を備え、本体ケーシングへの装着状態において、本体ケーシング内に設けられる付勢部材が転写ローラ電極および転写ローラ軸受を付勢することで、転写ローラを感光ドラムに向けて付勢するとともに、付勢部材を介して、転写ローラ電極に、本体ケーシング内の電源からの電力が供給される構成が知られている（例えば、特許文献１参照）。
【０００４】
このように、転写ローラ電極は、本体ケーシングの付勢部材が接触されることにより、転写ローラの感光ドラムに向けての押圧、および、転写ローラへの給電の機能を備えている。
【先行技術文献】
【特許文献】
【０００５】
【特許文献１】特開２０１３−０１６４９１号公報
【発明の概要】
【発明が解決しようとする課題】
【０００６】
しかるに、上記した特許文献１に記載のドラムカートリッジが本体ケーシングに装着された状態において、転写ローラは、感光ドラムに向けて付勢されることにより、感光ドラムに向かう方向については位置決めされているものの、転写ローラの軸線方向においては位置ずれを生じる可能性がある。
【０００７】
また、ドラムカートリッジは、本体ケーシングから離脱され、交換可能であるので、交換時における落下などにより、外部からの衝撃を受け易く、ドラムカートリッジ内における転写ローラの位置精度が低下するおそれがある。
【０００８】
そこで、本発明の目的は、転写ローラを感光ドラムに対して精度良く接触させることができながら、転写ローラの位置精度の向上を図ることのできるドラムカートリッジを提供することにある。
【課題を解決するための手段】
【０００９】
（１）本発明のドラムカートリッジは、筐体と、感光ドラムと、回転軸と、回転軸の周面を被覆する本体部とを有する転写ローラと、回転軸と電気的に接続される転写電極であって、画像形成装置に設けられた本体電極から感光ドラムに向けて付勢されるように構成される転写電極と、回転軸を回転軸が延びる方向に沿って押圧する押圧部材とを備えている。
【００１０】
このような構成によれば、転写電極は、ドラムカートリッジが画像形成装置に対して装着され、本体電極と接触することにより、転写ローラを感光ドラムに向けて押圧することができるとともに、回転軸を介して、本体部に電圧を印加することができる。
【００１１】
さらに、ドラムカートリッジが、押圧部材を備えていることにより、転写ローラを回転軸が延びる方向に押圧することができる。
【００１２】
そのため、ドラムカートリッジが画像形成装置に対して装着された状態において、転写ローラを感光ドラムに対して、精度良く接触させることができる。
【００１３】
また、ドラムカートリッジが画像形成装置から離脱された状態であっても、押圧部材によって転写ローラが、回転軸が延びる方向に押圧されているので、ドラムカートリッジに対して、落下などによる衝撃が加わった場合であっても、回転軸が延びる方向における転写ローラの位置ずれを抑制することができる。
【００１４】
その結果、転写ローラの位置精度の向上を図ることができる。
（２）また、回転軸は、回転軸が延びる方向において、筐体から離間していてもよい。
【００１５】
このような構成によれば、回転軸が延びる方向において、回転軸が筐体から離間しているので、ドラムカートリッジの落下などによる衝撃が、転写ローラに直接伝わることを抑制することができる。
【００１６】
そのため、より確実に回転軸が延びる方向における転写ローラの位置ずれを抑制することができ、転写ローラの位置精度の向上を図ることができる。
（３）また、押圧部材は、回転軸が延びる方向において、筐体と、回転軸との間に配置されていてもよい。
【００１７】
このような構成によれば、回転軸が延びる方向において、押圧部材を筐体と回転軸との間に配置するという簡易な構成により、回転軸を押圧することができ、回転軸が延びる方向における転写ローラの位置ずれを抑制することができる。
（４）また、感光ドラムは、画像形成装置からの駆動が入力されるドラムギアを備え、転写ローラは、回転軸の回転軸が延びる方向の一方側に配置され、ドラムギアと噛合する転写ギアを備え、押圧部材は、回転軸を回転軸が延びる方向の他方側から一方側に向けて押圧してもよい。
【００１８】
このような構成によれば、回転軸が押圧部材によって回転軸が延びる方向の他方側から一方側に向けて押圧されていることにより、回転軸が延びる方向の一方側に配置される転写ギアと、ドラムギアとの噛合が解除されることを抑制することができる。
【００１９】
そのため、感光ドラムに入力される駆動力を、ドラムギア、および、転写ギアを介して、転写ローラに確実に伝達することができる。
（５）また、筐体は、記録媒体が転写ローラと感光ドラムとの間に向かうときに、記録媒体が通過可能な開口を備え、本体部の回転軸が延びる方向の寸法は、開口の回転軸が延びる方向の寸法よりも小さくてもよい。
【００２０】
このような構成によれば、本体部の回転軸が延びる方向の寸法が、開口の回転軸が延びる方向の寸法よりも小さいことにより、ドラムカートリッジの小型化を図ることができる。
（６）また、押圧部材は、板ばねであってもよい。
【００２１】
このような構成によれば、回転軸を板ばねによって押圧するという簡易な構成により、転写ローラを回転軸が延びる方向に向けて押圧することができる。
（７）また、板ばねにおいて、回転軸と接触される接触部分に貼り付けられるフィルム部材を備えていてもよい。
【００２２】
このような構成によれば、板ばねによって回転軸を押圧するときに、板ばねと回転軸との間に発生する摩擦を、フィルム部材によって低減することができる。
【００２３】
そのため、押圧部材および転写ローラの長寿命化を図ることができる。
（８）また、転写電極は、樹脂からなり、押圧部材は、転写電極の一部として構成されていてもよい。
【００２４】
このような構成によれば、押圧部材が転写電極の一部として構成されるので、部品点数を低減することができながら、転写ローラを回転軸が延びる方向に沿って押圧することができる。
（９）また、押圧部材は、筐体の一部として構成されていてもよい。
【００２５】
このような構成によれば、押圧部材が筐体の一部として構成されるので、部品点数の低減を図ることができる。
【００２６】
さらに、押圧部材を筐体の一部から構成することにより、筐体に対する押圧部材の位置精度の向上を図ることができ、回転軸を確実に押圧することができる。
【発明の効果】
【００２７】
本発明のドラムカートリッジでは、転写ローラを感光ドラムに対して精度良く接触させることができながら、転写ローラの位置精度の向上を図ることができる。
【図面の簡単な説明】
【００２８】
【図１】図１は、本発明の第１実施形態のドラムカートリッジの中央断面図である。
【図２】図２は、図１に示すドラムカートリッジが装着される画像形成装置の中央断面図である。
【図３】図３は、図１に示すドラムカートリッジの平面図である。
【図４】図４は、図３に示すドラムカートリッジからカバーフレームを取り外した状態の平面図である。
【図５】図５は、図３のＡ−Ａ断面図である。
【図６】図６Ａは、図５に示すドラムカートリッジからカバーフレームを取り外した状態の電極部材周辺の拡大図である。図６Ｂは、図５に示すドラムカートリッジからカバーフレームを取り外した状態の軸受部材周辺の拡大図である。
【図７】図７Ａは、本発明の第２実施形態のドラムカートリッジにおいて、カバーフレームを取り外した状態の電極部材周辺の拡大断面図である。図７Ｂは、本発明の第３実施形態のドラムカートリッジにおいて、カバーフレームを取り外した状態の電極部材周辺の拡大断面図である。
【図８】図８Ａは、本発明の第４実施形態のドラムカートリッジにおいて、カバーフレームを取り外した状態の電極部材周辺の拡大平面図である。図８Ｂは、図８ＡのＣ−Ｃ断面図である。
【図９】図９は、本発明の第５実施形態のドラムカートリッジにおいて、カバーフレームを取り外した状態の電極部材周辺の拡大断面図である。
【発明を実施するための形態】
【００２９】
１．ドラムカートリッジの概略
ドラムカートリッジ１は、図１および図３に示すように、平面視略枠形の有底枠形状を有している。ドラムカートリッジ１は、図１に示すように、感光ドラム２と、スコロトロン型帯電器３と、転写ローラ４とを備えている。
【００３０】
なお、以下の説明において、ドラムカートリッジ１の方向に言及するときには、感光ドラム２が配置されている方を、ドラムカートリッジ１の後方とし、その反対をドラムカートリッジ１の前方とする。また、ドラムカートリッジ１を前方から見たときを左右の基準とする。具体的には、ドラムカートリッジ１の方向に関し、各図に示した矢印方向を基準とする。なお、左右方向は、第１方向の一例であり、左方は、第１方向一方側の一例であり、右方は、第１方向他方側の一例である。また、上下方向は、第１方向と直交する方向の一例である。
【００３１】
感光ドラム２は、ドラムカートリッジ１の後端部に回転可能に支持されている。感光ドラム２は、左右方向に延びる略円筒形状を有している。
【００３２】
スコロトロン型帯電器３は、感光ドラム２の後上方において、感光ドラム２と間隔を隔てて配置されている。
【００３３】
転写ローラ４は、感光ドラム２の下方に配置されている。転写ローラ４は、感光ドラム２の下端部と接触している。
２．ドラムカートリッジの使用態様
図２に示すように、ドラムカートリッジ１は、画像形成装置の一例としてのプリンタ１１に装着されて使用される。
【００３４】
プリンタ１１は、電子写真方式のモノクロプリンタである。プリンタ１１は、装置本体１２と、プロセスカートリッジ１３と、スキャナユニット１４と、定着ユニット１５とを備えている。
【００３５】
装置本体１２は、略ボックス形状に形成されている。装置本体１２は、開口部１６と、フロントカバー１７と、給紙トレイ１８と、排紙トレイ１９とを有している。
【００３６】
開口部１６は、装置本体１２の前端部に配置されている。開口部１６は、プロセスカートリッジ１３の通過を許容するように、装置本体１２の内外を前後方向に連通している。
【００３７】
フロントカバー１７は、装置本体１２の前端部に配置されている。フロントカバー１７は、略板状を有している。フロントカバー１７は、上下方向に延び、その下端部を支点として装置本体１２の前壁に揺動可能に支持されている。フロントカバー１７は、開口部１６を開放または閉鎖するように構成されている。
【００３８】
給紙トレイ１８は、装置本体１２の底部に配置されている。給紙トレイ１８は、記録媒体の一例としての用紙Ｐを収容するように構成されている。
【００３９】
排紙トレイ１９は、装置本体１２の上壁の前側半分に配置されている。排紙トレイ１９は、用紙Ｐが載置されるように、装置本体１２の上面から下方へ凹んでいる。
【００４０】
プロセスカートリッジ１３は、装置本体１２の上下方向略中央に収容されている。プロセスカートリッジ１３は、開口部１６を介して装置本体１２に対して装着または離脱するように構成されている。プロセスカートリッジ１３は、上記したドラムカートリッジ１と、現像カートリッジ２０とを備えている。
【００４１】
現像カートリッジ２０は、感光ドラム２の後方において、ドラムカートリッジ１の後述する現像カートリッジ装着部７０に装着されている。現像カートリッジ２０は、現像ローラ２１と、供給ローラ２２と、層厚規制ブレード２３と、トナー収容部２４とを備えている。
【００４２】
現像ローラ２１は、現像カートリッジ２０の後端部に回転可能に支持されている。現像ローラ２１は、感光ドラム２の前端部に接触している。
【００４３】
供給ローラ２２は、現像ローラ２１の前下方に配置されている。供給ローラ２２は、現像カートリッジ２０に回転可能に支持されている。供給ローラ２２は、現像ローラ２１の前下端部に接触している。
【００４４】
層厚規制ブレード２３は、現像ローラ２１の前上方に配置されている。層厚規制ブレード２３は、現像ローラ２１の前端部に接触している。
【００４５】
トナー収容部２４は、供給ローラ２２および層厚規制ブレード２３の前方に配置されている。トナー収容部２４は、トナーを収容するように構成されている。
【００４６】
スキャナユニット１４は、プロセスカートリッジ１３の上方に配置されている。スキャナユニット１４は、感光ドラム２に向けて画像データに基づくレーザービームを出射するように構成されている。
【００４７】
定着ユニット１５は、プロセスカートリッジ１３の後方に配置されている。定着ユニット１５は、加熱ローラ２６と、加熱ローラ２６の後下端部に圧接される加圧ローラ２７とを備えている。
【００４８】
プリンタ１１が画像形成動作を開始すると、スコロトロン型帯電器３は、感光ドラム２の表面を一様に帯電する。スキャナユニット１４は、感光ドラム２の表面を露光する。これにより、画像データに基づく静電潜像が、感光ドラム２の表面に形成される。
【００４９】
また、トナー収容部２４内のトナーは、供給ローラ２２によって現像ローラ２１に供給される。このとき、トナーは、現像ローラ２１と供給ローラ２２との間で正極性に摩擦帯電され、現像ローラ２１に担持される。層厚規制ブレード２３は、現像ローラ２１に担持されたトナーの層厚を一定厚さに規制する。
【００５０】
そして、現像ローラ２１に担持されたトナーは、感光ドラム２表面の静電潜像に供給される。これにより、現像剤像の一例としてのトナー像が、感光ドラム２の表面に担持される。
【００５１】
用紙Ｐは、給紙トレイ１８から、各種ローラの回転により、所定のタイミングで１枚ずつ、後述するドラムフレーム３１の給紙開口５０を介して、感光ドラム２と転写ローラ４との間に給紙される。感光ドラム２表面のトナー像は、用紙Ｐが感光ドラム２と転写ローラ４との間を通過するときに、用紙Ｐに転写される。
【００５２】
その後、用紙Ｐは、後述するドラムフレーム３１の排紙開口６０を介して、ドラムカートリッジ１外に搬送され、加熱ローラ２６と加圧ローラ２７との間を通過するときに加熱および加圧される。これにより、用紙Ｐ上のトナー像は、用紙Ｐに熱定着される。その後、用紙Ｐは、排紙トレイ１９に排紙される。
３．ドラムカートリッジの詳細
ドラムカートリッジ１は、図１に示すように、筐体の一例としてのドラムフレーム３１と、上記した感光ドラム２と、上記した転写ローラ４とを備えている。また、ドラムカートリッジ１は、さらに、図６Ａおよび図６Ｂに示すように、軸受部材３３と、転写電極の一例としての電極部材３４と、押圧部材の一例としてのゴム部材３５とを備えている。
（１）ドラムフレーム
ドラムフレーム３１は、図１および図３に示すようにベースフレーム３８と、カバーフレーム３９とを備えている。
【００５３】
ベースフレーム３８は、平面視略矩形の有底枠形状を有している。ベースフレーム３８は、１対のベース側壁４２と、ベース下壁４３と、ベース後壁４４と、ベース前壁４５とを一体として備えている。
【００５４】
１対のベース側壁４２のそれぞれは、ベースフレーム３８の左右方向両端部のそれぞれに配置されている。１対のベース側壁４２のそれぞれは、前後方向に延びる側面視略矩形の略板状を有している。
【００５５】
ベース下壁４３は、図１および図４に示すように、１対のベース側壁４２の下端部間に架設されている。ベース下壁４３は、前後方向に延びる平面視略矩形の略板状を有している。ベース下壁４３は、転写ローラ収容部５１と、開口の一例としての給紙開口５０とを備えている。
【００５６】
給紙開口５０は、ベース下壁４３の後方部分を上下方向に貫通している。給紙開口５０は、左右方向にわたって延びる平面視略矩形状を有している。
【００５７】
転写ローラ収容部５１は、給紙開口５０よりも後方であって、ベース下壁４３の後端部に配置されている。転写ローラ収容部５１は、ローラ本体収容部５４と、軸受収容部５５と、電極収容部５６とを備えている。
【００５８】
ローラ本体収容部５４は、転写ローラ収容部５１の中央部分に配置されている。ローラ本体収容部５４は、上方が開放され、左右方向に延びる略半円筒形状を有している。ローラ本体収容部５４の左右方向寸法は、給紙開口５０の左右方向寸法と略同じである。
【００５９】
軸受収容部５５は、図５および図６Ｂに示すように、転写ローラ収容部５１の左端部であって、給紙開口５０よりも左方に配置されている。軸受収容部５５は、上方が開放され、左右方向に延びる略半円筒形状を有している。軸受収容部５５は、軸受露出開口５７と、突出壁５９とを備えている。
【００６０】
軸受露出開口５７は、軸受収容部５５の底面視略中央を上下方向に貫通している。軸受露出開口５７は、底面視略矩形状を有している。
【００６１】
突出壁５９は、軸受収容部５５の左端部における内周面から、上方に向かって突出している。
【００６２】
電極収容部５６は、図５および図６Ａに示すように、転写ローラ収容部５１の右端部であって、給紙開口５０よりも右方に配置されている。電極収容部５６は、上方が開放され、左右方向に延びる略半円筒形状を有している。電極収容部５６は、電極露出開口５８を備えている。
【００６３】
電極露出開口５８は、電極収容部５６の底面視略中央を上下方向に貫通している。電極露出開口５８は、底面視略矩形状を有している。
【００６４】
ベース後壁４４は、図１および図４に示すように、ベース下壁４３の転写ローラ収容部５１の後端部から後方に間隔を隔てて配置され、後方に向かって延びた後、上方に向かって屈曲する側断面視略Ｌ字状の略板状を有している。ベース後壁４４は、左右方向に延びている。なお、図１に示すように、ベース後壁４４の前下端部と、転写ローラ収容部５１の後端部との間が、排紙開口６０として画定されている。
【００６５】
ベース前壁４５は、図１および図４に示すように、ベース下壁４３の前端部から連続して上方へ延びている。ベース前壁４５は、正面視略矩形の略板状を有している。ベース前壁４５の左右両端部は、１対のベース側壁４２の前端部に連続している。
【００６６】
カバーフレーム３９は、図１および図５に示すように、感光ドラム２を覆うように、ベースフレーム３８の後端部の上方に配置されている。カバーフレーム３９は、１対のカバー側壁６３と、カバー上壁６４と、帯電器支持部６５とを備えている。
【００６７】
１対のカバー側壁６３のそれぞれは、カバーフレーム３９の左右方向両端部のそれぞれに配置されている。１対のカバー側壁６３のそれぞれは、側面視略矩形の略板状を有している。１対のカバー側壁６３のそれぞれは、図５に示すように、ベースフレーム３８の１対のベース側壁４２のそれぞれの後上方部分に対して、左右方向外側から接触するように配置されている。
【００６８】
カバー上壁６４は、図１および図５に示すように、１対のカバー側壁６３の上端部間に架設されている。カバー上壁６４は、平面視略矩形の略板状を有している。
【００６９】
帯電器支持部６５は、図１に示すように、カバー上壁６４の後端部から連続している。帯電器支持部６５は、左右方向に延び、後上方に向かって開放される断面視略Ｕ字状の略枠形状を有している。帯電器支持部６５は、上記したスコロトロン型帯電器３を有している。
【００７０】
なお、ドラムカートリッジ１において、カバーフレーム３９、１対のベース側壁４２の後方部分、および、ベース下壁４３の後端部によって画定される略ボックス形状の部分が、感光ドラム２を支持するドラム支持部６９である。
【００７１】
また、カバーフレーム３９よりも前方において、カバーフレーム３９の前端部、１対のベース側壁４２の前方部分、ベース下壁４３の前方部分、および、ベース前壁４５によって画定される部分が、現像カートリッジ２０が装着される現像カートリッジ装着部７０である。
（２）感光ドラム、および、転写ローラ
上記した感光ドラム２は、図１および図５に示すように、ドラムフレーム３１のドラム支持部６９に収容されている。感光ドラム２は、図５に示すように、ドラム本体７５と、フランジ部７６と、ドラムギア７７と、ドラム軸７８とを備えている。
【００７２】
ドラム本体７５は、左右方向に延びる略円筒形状を有している。詳しくは、ドラム本体７５は、左右方向に延びる略円筒形状の金属製の素管と、素管の表面を被覆する樹脂性の感光層とを備えている。
【００７３】
フランジ部７６は、第１フランジ部材８０と、第２フランジ部材８１と、ばね部材８２とを備えている。
【００７４】
第１フランジ部材８０は、ドラム本体７５の右端部に相対回転不能に嵌まっている。フランジ部７６は、左右方向に延び、左方が閉鎖された略円筒形状を有している。また、第１フランジ部材８０は、その閉鎖部分の中央において、ドラム軸７８が挿通される挿通穴を備えている。
【００７５】
第２フランジ部材８１は、第１フランジ部材８０の右端部に相対回転可能に嵌まっている。第２フランジ部材８１は、左右方向に延び、右方が閉鎖された略円筒形状を有している。また、第２フランジ部材８１は、その閉鎖部分の中央において、ドラム軸７８が挿通される挿通穴を備えている。第２フランジ部材８１の右端部は、右方のベース側壁４２の内面に当接している。
【００７６】
ばね部材８２は、左右方向に延びる軸線を中心として、線材が螺旋状に巻回されるコイル形状を有している。ばね部材８２は、第１フランジ部材８０の閉鎖部分と、第２フランジ部材８１の閉鎖部分との間に圧縮状態で配置されている。
【００７７】
これにより、ばね部材８２は、第２フランジ部材８１を右方へ押圧するとともに、第１フランジ部材８０を介して、ドラム本体７５を左方に向かって押圧している。
【００７８】
ドラムギア７７は、ドラム本体７５の左端部に相対回転不能に嵌まっている。ドラムギア７７は、左右方向に延びる略円柱形状を有し、その周面にギア歯を備えている。ドラムギア７７の左端部は、ドラム本体７５がフランジ部７６によって押圧されていることにより、左方のベース側壁４２の内面に当接している。ドラムギア７７には、装置本体１２の図示しない駆動源からの駆動力が入力される。また、ドラムギア７７は、その径方向中央部において、ドラム軸７８が挿通される挿通穴を備えている。
【００７９】
ドラム軸７８は、フランジ部７６、および、ドラムギア７７のそれぞれの挿通穴に挿通され、ドラム本体７５内に挿通されている。ドラム軸７８の左右方向寸法は、ドラム本体７５の左右方向寸法よりも長い。そして、ドラム軸７８の左端部が、ベースフレーム３８の左方のベース側壁４２、および、カバーフレーム３９の左方のカバー側壁６３を貫通するようにして支持され、ドラム軸７８の右端部が、ベースフレーム３８の右方のベース側壁４２、および、カバーフレーム３９の右方のカバー側壁６３を貫通するようにして支持されている。
【００８０】
これにより、感光ドラム２がドラムフレーム３１に回転可能に支持されている。
【００８１】
転写ローラ４は、感光ドラム２の下方に配置され、転写ローラ収容部５１に収容されている。転写ローラ４は、本体部の一例としてのローラ本体８５と、回転軸の一例としての転写ローラ軸８６と、転写ギア８７とを備えている。
【００８２】
ローラ本体８５は、例えば、導電性を有するゴム材料からなる。ローラ本体８５は、左右方向に延びる略円筒形状を有している。ローラ本体８５は、ドラムフレーム３１のローラ本体収容部５４に収容されている。ローラ本体８５の左右方向寸法は、給紙開口５０の左右方向寸法よりも小さい。
【００８３】
転写ローラ軸８６は、ローラ本体８５内に相対回転不能に挿通されている。転写ローラ軸８６は、金属材料からなる。転写ローラ軸８６は、左右方向に延びる略円柱形状を有している。つまり、転写ローラ軸８６の延びる方向が左右方向である。また、転写ローラ軸８６の左右方向両端部は、ローラ本体８５から突出している。転写ローラ軸８６の左端部は、上下方向に投影したときに、軸受収容部５５と重なるように配置されており、転写ローラ軸８６の右端部は、上下方向に投影したときに、電極収容部５６と重なるように配置されている。なお、転写ローラ軸８６の左右方向両端部は、１対のベース側壁４２の内面から離間している。
【００８４】
転写ギア８７は、左右方向に延びる略円筒形状を有しており、その周面にギア歯を備えている。転写ギア８７は、その内周に転写ローラ軸８６の左端部を相対回転不能に受け入れている。転写ギア８７は、軸受収容部５５において、軸受露出開口５７よりも左方に収容されている。転写ギア８７の左端部は、突出壁５９と接触している。これにより、転写ギア８７に受け入れられる転写ローラ軸８６の左端部は、左右方向において、突出壁５９から離間している。また、転写ギア８７の上端部は、上記した感光ドラム２のドラムギア７７の下端部と噛合している。
（３）軸受部材、電極部材、および、ゴム部材
軸受部材３３は、図５および図６Ｂに示すように、軸受収容部５５に収容されている。軸受部材３３は、硬質樹脂からなる。軸受部材３３は、左右方向に延びる略円筒形状を有している。軸受部材３３は、転写ギア８７の右方に隣接配置されており、転写ローラ４のドラム軸７８の左端部を回転可能に支持している。軸受部材３３の下端部は、軸受露出開口５７から露出されている。
【００８５】
電極部材３４は、図５および図６Ａに示すように、電極収容部５６に収容されている。電極部材３４は、導電性を有する硬質樹脂からなる。電極部材３４は、左右方向に延び、上方が開放された略半円筒形状を有している。電極部材３４は、転写ローラ４のドラム軸７８の右端部を回転可能に支持している。電極部材３４の下端部は、電極露出開口５８から露出されている。
【００８６】
ゴム部材３５は、ゴム材料からなる。ゴム部材３５は、左右方向に延びる略円柱形状を有している。ゴム部材３５は、電極部材３４の右側部分に支持されており、転写ローラ軸８６の右端部と、左方のベース側壁４２の内面との間に圧縮されるようにして配置されている。
【００８７】
これにより、ゴム部材３５は、転写ローラ４を右方から左方に向かって押圧している。
４．装置本体の構成
装置本体１２は、図５に示すように、付勢部材９１と、本体電極の一例としての付勢電極９２とを備えている。
【００８８】
付勢部材９１、および、付勢電極９２は、装置本体１２内において、互いに間隔を空けて配置されている。
【００８９】
付勢部材９１は、硬質樹脂からなる。付勢部材９１は、図５および図６Ｂに示すように、前後方向に延びる略棒形状を有している。付勢部材９１の左右方向寸法は、軸受露出開口５７よりも小さい。付勢部材９１は、図示しないばね部材により、常には、上方に向けて付勢されている。
【００９０】
付勢電極９２は、導電性を有する硬質樹脂からなる。付勢電極９２は、図５および図６Ａに示すように、前後方向に延びる略棒形状を有している。付勢電極９２の左右方向寸法は、電極露出開口５８よりも小さい。付勢電極９２は、図示しないばね部材により、常には、上方に向けて付勢されている。
【００９１】
そして、装置本体１２に対してドラムカートリッジ１が装着された状態において、付勢部材９１は、軸受露出開口５７を介して軸受部材３３の下端部と接触し、付勢電極９２は、電極露出開口５８を介して電極部材３４の下端部と接触するように構成されている。
【００９２】
これにより、転写ローラ軸８６の左右両端部が上方に押圧され、ローラ本体８５が感光ドラム２のドラム本体７５に向けて押圧されている。
【００９３】
また、付勢電極９２は、装置本体１２の図示しない電源からの電力を、電極部材３４を介して、転写ローラ４のローラ本体８５に供給するように構成されている。
５．作用効果
（１）このドラムカートリッジ１によれば、図５に示すように、電極部材３４は、ドラムカートリッジ１が装置本体１２に対して装着され、付勢電極９２と接触することにより、転写ローラ４を感光ドラム２に向けて押圧することができるとともに、転写ローラ軸８６を介して、ローラ本体８５に電圧を印加することができる。
【００９４】
さらに、ドラムカートリッジ１が、ゴム部材３５を備えていることにより、転写ローラ４を左方に押圧することができる。
【００９５】
そのため、ドラムカートリッジ１が装置本体１２に対して装着された状態において、転写ローラ４を感光ドラム２に対して、精度良く接触させることができる。
【００９６】
また、ドラムカートリッジ１が装置本体１２から離脱された状態であっても、ゴム部材３５によって転写ローラ４が左方に押圧されているので、ドラムカートリッジ１に対して、落下などによる衝撃が加わった場合であっても、転写ローラ４の左右方向における位置ずれを抑制することができる。
【００９７】
その結果、転写ローラ４の位置精度の向上を図ることができる。
（２）また、このドラムカートリッジ１によれば、図５に示すように、左右方向において、転写ローラ軸８６がドラムフレーム３１の１対のベース側壁４２の内面から離間しているので、ドラムカートリッジ１の落下などによる衝撃が、転写ローラ４に直接伝わることを抑制することができる。
【００９８】
そのため、より確実に転写ローラ４の左右方向における位置ずれを抑制することができ、転写ローラ４の位置精度の向上を図ることができる。
【００９９】
また、転写ローラ軸８６の左端部と、突出壁５９とは離間されているので、転写ローラ軸８６が接触することによる突出壁５９の摩耗を低減することができる。
（３）また、このドラムカートリッジ１によれば、図６Ａに示すように、左右方向において、ゴム部材３５をドラムフレーム３１と転写ローラ軸８６との間に配置するという簡易な構成により、転写ローラ軸８６を押圧することができ、転写ローラ４の左右方向における位置ずれを抑制することができる。
（４）また、このドラムカートリッジ１によれば、図５に示すように、転写ローラ軸８６がゴム部材３５によって右方から左方に向けて押圧されていることにより、左方に配置される転写ギア８７と、ドラムギア７７との噛合が解除されることを抑制することができる。
【０１００】
そのため、感光ドラム２に入力される駆動力を、ドラムギア７７、および、転写ギア８７を介して、転写ローラ４に確実に伝達することができる。
（５）また、このドラムカートリッジ１によれば、図３および図４に示すように、ローラ本体８５の左右方向寸法が、給紙開口５０の左右方向寸法よりも小さいことにより、ドラムカートリッジ１の小型化を図ることができる。
６．第２実施形態
図７Ａを参照して、ドラムカートリッジ１の第２実施形態を説明する。なお、第２実施形態において、上記した第１実施形態と同様の部材には同様の符号を付し、その説明を省略する。
【０１０１】
上記した第１実施形態では、図６Ａに示すように、ドラムカートリッジ１は、ゴム部材３５を備えているのに対し、第２実施形態では、図７Ａに示すように、ドラムカートリッジ１は、ゴム部材３５を備えておらず、フィルム部材９６と、押圧部材の一例としての板ばね９７とを備えている。
【０１０２】
フィルム部材９６は、ＰＥＴ（ポリエチレンテレフタレート）からなる。フィルム部材９６は、シート形状を有している。フィルム部材９６は、転写ローラ軸８６の右端部に貼り付けられている。
【０１０３】
板ばね９７は、金属材料からなる。板ばね９７は、上下方向に沿って延び、その下端部から左下方に向かって延びた後、下方に向かって延びる正面視略クランク状の略板状を有している。
【０１０４】
そして、板ばね９７は、電極部材３４の右側部分に配置され、その右端部が右方のベース側壁４２の内面に接着剤などにより固定され、その左端部が転写ローラ軸８６の右端部に対して、フィルム部材９６を介して当接されている。
【０１０５】
これにより、板ばね９７は、右方のベース側壁４２の内面と、転写ローラ軸８６の右端部との間に圧縮状態で配置されており、転写ローラ４を左方に向かって押圧している。
【０１０６】
なお、フィルム部材９６を、転写ローラ軸８６の右端部ではなく、板ばね９７の左端部に対して貼り付けこともできる。
【０１０７】
第２実施形態のドラムカートリッジ１によれば、図７Ａに示すように、転写ローラ軸８６を板ばね９７によって押圧するという簡易な構成により、転写ローラ４を左方に向けて押圧することができる。
【０１０８】
また、第２実施形態のドラムカートリッジ１によれば、図７Ａに示すように、板ばね９７によって転写ローラ軸８６を押圧するときに、板ばね９７と転写ローラ軸８６との間に発生する摩擦を、フィルム部材９６によって低減することができる。
【０１０９】
そのため、板ばね９７、および、転写ローラ４の長寿命化を図ることができる。
【０１１０】
また、第２実施形態においても、上記した第１実施形態と同様の作用効果を得ることができる。
７．第３実施形態
図７Ｂを参照して、ドラムカートリッジ１の第３実施形態を説明する。なお、第３実施形態において、上記した第１実施形態と同様の部材には同様の符号を付し、その説明を省略する。
【０１１１】
上記した第１実施形態では、図６Ａに示すように、ドラムカートリッジ１がゴム部材３５を備えているのに対し、第３実施形態では、図７Ｂに示すように、ドラムカートリッジ１は、ゴム部材３５を備えておらず、突出部１０１と、押圧部材の一例としてのコイルばね１０２を備えている。
【０１１２】
突出部１０１は、右方のベース側壁４２の内面から左方に向かって突出する略円柱形状を有している。突出部１０１は、左右方向に投影したときに、転写ローラ軸８６と重なっている。
【０１１３】
コイルばね１０２は、左右方向に延びる軸線を中心として、金属材料からなる線材が螺旋状に巻回されるコイル形状を有している。
【０１１４】
そして、コイルばね１０２は、その内側に突出部１０１を受け入れるようにして、右方のベース側壁４２の内面と、転写ローラ軸８６の右端部との間に圧縮状態で配置されている。
【０１１５】
これにより、コイルばね１０２は、転写ローラ４を左方に向かって押圧している。
【０１１６】
第３実施形態においても、上記した第１実施形態と同様の作用効果を得ることができる。
８．第４実施形態
図８Ａおよび図８Ｂを参照して、ドラムカートリッジ１の第４実施形態を説明する。なお、第４実施形態において、上記した第１実施形態と同様の部材には同様の符号を付し、その説明を省略する。
【０１１７】
上記した第１実施形態では、図６Ａに示すように、ドラムカートリッジ１は、ゴム部材３５を備えているのに対し、第４実施形態では、図８Ａおよび図８Ｂに示すように、ドラムカートリッジ１は、ゴム部材３５を備えておらず、電極部材３４が、連結部１０５と、押圧部材の一例としての膨出部１０６とを一体として備えている。
【０１１８】
第４実施形態の電極部材３４は、導電性を有し、かつ、弾性を有する樹脂材料からなる。
【０１１９】
連結部１０５は、電極部材３４の上端部間を前後方向に連結する略角柱形状を有している。
【０１２０】
膨出部１０６は、連結部１０５の前後方向略中央の下端部から、左方に向かって膨出している。膨出部１０６の左端部は、転写ローラ軸８６の右端部に圧接されている。
【０１２１】
これにより、膨出部１０６は、転写ローラ４を左方に向けて押圧している。
【０１２２】
第４実施形態のドラムカートリッジ１によれば、図８Ａおよび図８Ｂに示すように、押圧部材の一例としての膨出部１０６が、電極部材３４の一部として構成されるので、部品点数を低減することができながら、転写ローラ４を左方に向けて押圧することができる。
【０１２３】
また、第４実施形態においても、上記した第１実施形態と同様の作用効果を得ることができる。
９．第５実施形態
図９を参照して、ドラムカートリッジ１の第５実施形態を説明する。なお、第５実施形態において、上記した第１実施形態と同様の部材には同様の符号を付し、その説明を省略する。
【０１２４】
上記した第１実施形態では、図６Ａに示すように、ドラムカートリッジ１は、ゴム部材３５を備えているのに対し、第５実施形態では、図９に示すように、ドラムカートリッジ１は、ゴム部材３５を備えておらず、右方のベース側壁４２が、押圧部材の一例としての延設部１０９を一体として備えている。
【０１２５】
延設部１０９は、右方のベース側壁４２の内面から左方に突出した後、下方に向かって延びる略板状を有している。延設部１０９の左端部は、転写ローラ軸８６の右端部に圧接されている。
【０１２６】
これにより、延設部１０９は、転写ローラ４を左方に向けて押圧している。
【０１２７】
第５実施形態のドラムカートリッジ１によれば、図９に示すように、押圧部材の一例としての延設部１０９が、ドラムフレーム３１の一部として構成されるので、部品点数の低減を図ることができる。
【０１２８】
さらに、延設部１０９をドラムフレーム３１の一部から構成することにより、ドラムフレーム３１に対する延設部１０９の位置精度の向上を図ることができ、転写ローラ軸８６を確実に押圧することができる。
【０１２９】
また、第５実施形態においても、上記した第１実施形態と同様の作用効果を得ることができる。
【符号の説明】
【０１３０】
１      ドラムカートリッジ
２      感光ドラム
４      転写ローラ
１１    プリンタ
３１    ドラムフレーム
３４    電極部材
３５    ゴム部材
５０    給紙開口
７７    ドラムギア
８５    ローラ本体
８６    転写ローラ軸
８７    転写ギア
９２    押圧電極
９６    フィルム部材
９７    板ばね
１０２  コイルばね
１０６  膨出部
１０９  延設部
【図１】
0006387741.tif 000002
【図２】
0006387741.tif 000003
【図３】
0006387741.tif 000004
【図４】
0006387741.tif 000005
【図５】
0006387741.tif 000006
【図６】
0006387741.tif 000007
【図７】
0006387741.tif 000008
【図８】
0006387741.tif 000009
【図９】
0006387741.tif 000010